(57)【要約】【課題】着用したバッジの回転防止効果と、ピンへの留め具の差し込み容易性と、生地に現出したピン孔の拡大防止効果とを同時に得ることができる装飾具を提供する。【解決手段】バッジ１３と、バッジ１３の裏面１３ａに立設されたピン１４と、ピン１４の差し込み孔１５を有する留め具１７とを備えたピンバッジ１０において、ピン１４はバッジ１３の裏面１３ａに対して４５°のピン傾斜角θだけ傾斜し、留め具１７の先端面１７ａは、差し込み孔１５の長さ方向と直交する面ａを基準とし、端面傾斜角α＝９０°−ピン傾斜角θの式から得られた端面傾斜角αだけ傾斜している。【選択図】図１
2019037507.tif 000002
【特許請求の範囲】
【請求項１】
衣服または服飾小物類を装飾する装飾部と、
該装飾部の裏面に立設され、かつ前記衣服または服飾小物類に差されるピンと、
該ピンの差し込み孔が内部に形成され、かつ前記ピンの先端部に着脱可能に差し込まれる留め具とを備えた装飾具において、
前記ピンは、前記装飾部の裏面を基準として、４０°〜５０°のピン傾斜角θだけ傾斜し、
前記留め具の先端面は、前記差し込み孔の長さ方向と直交する面を基準として、次式から求められた端面傾斜角αだけ傾斜していることを特徴とする装飾具。
端面傾斜角α＝９０°−ピン傾斜角θ
【請求項２】
前記ピン傾斜角θおよび前記端面傾斜角αは、それぞれ４５°であることを特徴とする請求項１に記載の装飾具。
【請求項３】
前記留め具は、
前記差し込み孔の一部を有し、かつ先端面が該差し込み孔の長さ方向と直交している留め具本体と、
該留め具本体の先端部に取り付けられて、長さ方向を揃えて前記差し込み孔の一部と連通し、かつ該差し込み孔の残り部としてのアダプタ側差し込み孔が内部形成されたヘッドアダプタとを具備し、
該ヘッドアダプタは、その基端面が前記留め具本体の先端面と平行で、かつその先端面が、前記アダプタ側差し込み孔の長さ方向と直交する面を基準として、前記端面傾斜角αだけ傾斜していることを特徴とする請求項１または請求項２に記載の装飾具。
【発明の詳細な説明】
【技術分野】
【０００１】
本発明は、ピンおよび留め具を介して、衣服や服飾小物類にバッジ等の装飾部を取り付ける装飾具に関する。
【背景技術】
【０００２】
例えば、衣服や服飾小物類（以下、衣服等）にピンを差し、装飾品の一種であるバッジを着脱自在に取り付ける装飾具として、ピンバッジが知られている。
ピンバッジは、バッジの裏面に固定されたピンを衣服等の生地に差し、生地の反対側から突出したピンの先端部に、生地を挟んだ状態で留め具を差し込むことにより、バッジを衣服等に着脱可能に装着している（例えば、特許文献１等）。なお、このピンは、バッジの裏面に対して直角に突出している。
【先行技術文献】
【特許文献】
【０００３】
【特許文献１】特許第４３０８５５４号公報
【発明の概要】
【発明が解決しようとする課題】
【０００４】
しかしながら、特許文献１のピンバッジは、このようにピンがバッジの裏面から直角に突出していたため、ピンの引き抜き方向と留め具の抜き取り方向とが一致していた。
そのため、着用者の歩行などに伴って、ピンバッジとこれの装着部分とが略一体的に揺れた際、バッジには、揺れる生地により背後から前方へ押し出す力が作用し、ピンが留め具から若干引き抜かれ、ピンバッジの装着が緩むことがあった。
このように、留め具が緩んだ場合、ピンバッジは、ピンを中心にして装飾具のバッジが回転し易かった。その結果、衣服等を飾るはずのバッジが横向き状態、または、上下が逆の状態となり、見栄えの悪いものとなっていた。
【０００５】
そこで、発明者は鋭意研究の結果、バッジの裏面に対して４０°〜５０°の傾斜角度（ピン傾斜角θ）でピンを立設し、かつ留め具の先端面を、差し込み孔の長さ方向と直交する面を基準として、“端面傾斜角α＝９０°−ピン傾斜角θ”の式から求められた端面傾斜角αだけ傾斜させるようにすれば、例えば、着用者の歩行時に、前述した生地によってバッジを押し出す力が作用する方向（前方向）と、留め具からのピンの引き抜き方向とが一致しなくなり、かつ傾斜したピンを用いているにも拘わらず、バッジの裏面と、この裏面と平行な留め具の先端面との間での衣服等の生地の挟持面積が大きくなり、ピンバッジの留め具の緩みが発生しにくくなって、バッジの回転を防止できることを知見し、この発明を完成させた。
【０００６】
また、発明者は、このようにバッジの裏面から４０°〜５０°の傾斜角度でピンを固着すれば、例えば、バッジの裏面に対して、ピンを、基端部が短い横Ｌ字状に屈曲（横へ直角に屈曲）させたときの不都合（課題）も解消されることを知見した。ここでいう横Ｌ字ピンの不都合とは、（１）バッジ装着時、生地の裏面とピンの先端との隙間がほとんどなく、留め具をピンに差し込みにくい点、（２）着用者の歩行時、生地にピンを差すことで現出したピン孔が、バッジの裏面と直交しているピンの基端部から、この裏面と平行なピンの屈曲部分に移行したとき、衣服等やバッジの揺れに伴い、バッジから生地に作用する力が、このピン孔の形成部の一箇所に集中してピン孔が拡大し、ピンバッジを外したとき、衣服等の生地に大きな孔が現出する点などである。
【０００７】
本発明は、このような従来の問題点に鑑みなされたもので、着用したバッジの回転防止効果と、ピンへの留め具の差し込み容易性と、生地に現出したピン孔の拡大防止効果とを同時に得ることができる装飾具を提供することを目的としている。
【課題を解決するための手段】
【０００８】
請求項１に記載の発明は、衣服または服飾小物類を装飾する装飾部と、該装飾部の裏面に立設され、かつ前記衣服または服飾小物類に差されるピンと、該ピンの差し込み孔が内部に形成され、かつ前記ピンの先端部に着脱可能に差し込まれる留め具とを備えた装飾具において、前記ピンは、前記装飾部の裏面を基準として、４０°〜５０°のピン傾斜角θだけ傾斜し、前記留め具の先端面は、前記差し込み孔の長さ方向と直交する面を基準として、次式から求められた端面傾斜角αだけ傾斜していることを特徴とする装飾具である。
端面傾斜角α＝９０°−ピン傾斜角θ
【０００９】
ここでいう装飾具とは、装飾部の裏面にピンが固着された、例えば、タイタック（ＵＳタイタックを含む）方式のもの、蝶タック方式のもの、ロータリーねじ式のものである。
具体的な装飾具の種類としては、例えば、ピンバッジ、ブローチ、ピアス、ネクタイピンなどが挙げられる。
衣服の種類は任意である。例えば、文化を基準として各種の民族服、各種の洋服、各種の和服等が挙げられる。その他、着用する部位を基準として各種の上着、各種の下着などが挙げられる。
服飾小物類の種類は任意である。例えば、帽子、マフラー、スカーフ、手袋、靴下、帯留めなどを採用することができる。
【００１０】
装飾部は、装飾具の種類に応じて適宜変更される。例えば、ピンバッジにあっては、各種のキャラクターバッジ、社章、団体章、メンバー章などが挙げられる。
ピンの形状やサイズ（直径、長さ等）は任意である。このピンは、タイタック（ＵＳタイタックを含む）方式のもの、および、蝶タック方式のものの場合、一般的に衣服や服飾小物類の生地にピンを刺せるように先端部が尖っている。また、ロータリーねじ式のものの場合、ピンはねじとなる。
【００１１】
ピン傾斜角θが、装飾部の裏面を基準（面）として４０°未満では、生地の裏面とピンの先端との隙間が狭くなり、留め具をピンの先端部に差し込みにくくなる。また、５０°を超えれば、例えば歩行時に揺れる生地によって装飾部が押し出される方向と、留め具からのピンの引き抜き方向との間の角度差が小さくなり、着用時の装飾部の回転を十分に防止することができない。なお、最適なピン傾斜角θは、装飾部の裏面を基準として４５°である。この角度であれば、装着したバッジの回転防止効果と、ピンへの留め具の差し込み容易性と、生地に現出したピン孔の拡大防止効果とが、それぞれ最大となるバランスが得られる。
【００１２】
留め具としては、例えば、弾性体でピンを保持するタイプのもの、内蔵された小球体によりピンを挟持するタイプのものを採用することができる。
差し込み孔は、留め具の先端面（例えば中央部）にピンの差し込み口が配され、かつ留め具に内部形成されたピン孔である。
端面傾斜角αが、差し込み孔の長さ方向と直交する面を基準として、“９０°−ピン傾斜角θ”の値より小さい場合と大きい場合との何れでも、装飾具の装着時、装飾具の裏面と留め具の先端面とが平行でなくなって隙間が現出する。その分、装飾部の裏面と留め具の先端面との間での衣服等の生地の挟持面積が小さくなる。
【００１３】
特に、請求項２に記載の発明は、前記ピン傾斜角θおよび前記端面傾斜角αは、それぞれ４５°であることを特徴とする請求項１に記載の装飾具である。
【００１４】
また、請求項３に記載の発明は、前記留め具は、前記差し込み孔の一部を有し、かつ先端面が該差し込み孔の長さ方向と直交している留め具本体と、該留め具本体の先端部に取り付けられて、長さ方向を揃えて前記差し込み孔の一部と連通し、かつ該差し込み孔の残り部としてのアダプタ側差し込み孔が内部形成されたヘッドアダプタとを具備し、該ヘッドアダプタは、その基端面が前記留め具本体の先端面と平行で、かつその先端面が、前記アダプタ側差し込み孔の長さ方向と直交する面を基準として、前記端面傾斜角αだけ傾斜していることを特徴とする請求項１または請求項２に記載の装飾具である。
【００１５】
ここでいう留め具本体とは、差し込み孔の長さ方向と直交する面に対して、留め具本体の先端面が、装飾部の裏面と平行になる“端面傾斜角α”だけ傾斜していない留め具の主要構成体である。例えば、この差し込み孔の長さ方向と直交する面に対して平行な先端面を有する既成（市販）の留め具等が挙げられる。
【００１６】
ヘッドアダプタとは、（先端面が端面傾斜角αで傾斜していない）留め具本体の先端部に取り付けられ、留め具の先端面を、アダプタ側差し込み孔（差し込み孔）の長さ方向と直交する面に対して、端面傾斜角αだけ傾斜した面とするための部材である。
ヘッドアダプタの素材としては、例えば、各種の金属、各種のプラスチック、各種のセラミックス、各種の木などを採用することができる。
ヘッドアダプタの形状は、その基端面が留め具本体の先端面と平行で、かつその先端面が、アダプタ側差し込み孔の長さ方向と直交する面を基準として、端面傾斜角αだけ傾斜していれば任意である。例えば、側面視して三角形状または台形状などである。
【００１７】
ヘッドアダプタは、留め具本体の先端面に分離不能または着脱可能に取り付けられる。ヘッドアダプタを留め具本体に着脱可能に取り付ける構造としては、例えば、雄雌の嵌合構造、ヘッドアダプタの基端部から突出した掛止爪を留め具本体の先端部に掛止する爪掛止構造、ヘッドアダプタの基端部と留め具本体の先端部とを締結タイによって締結する締結構造、ねじ込み構造、各種のクランプ構造などを採用することができる。また、ヘッドアダプタを留め具本体に分離不能に取り付けるときには、例えば、接着や溶着などによって固着する。
【発明の効果】
【００１８】
請求項１に記載の発明によれば、装飾部の裏面に対して４０°〜５０°の傾斜角度でピンを立設し、かつ留め具の先端面を、差し込み孔の長さ方向と直交する面を基準として、“端面傾斜角α＝９０°−ピン傾斜角θ”の式から求められた端面傾斜角αだけ傾斜するように構成したため、例えば、着用者が歩行したとき、揺れる生地によって装飾部が押し出される方向（前方向）と、留め具からのピンの引き抜き方向との間に、４０°〜５０°の角度差が生じる。しかも、ピンが傾斜しているにも拘わらず、装飾部の裏面と、この裏面と平行な留め具の先端面との間での、衣服または服飾小物類の生地の挟持面積が大きくなる。これにより、装飾具の留め具の緩みが発生しにくくなり、装着時の装飾部の回転を防止することができる。
【００１９】
また、このように装飾部の裏面に、４０°〜５０°のピン傾斜角θでピンを立設すれば、例えば、装飾部の裏面に対して直交する短尺な基端部と、この基端部の先端に連結されて、装飾部の裏面に対して平行で長尺な平行部とからなる横Ｌ字状に屈曲（横へ直角に屈曲）したピン（以下、横Ｌ字ピン）に比べて、生地の裏面とピンの先端との隙間が大きくなり、留め具をピンの先端部に差し込み易くなる。
【００２０】
しかも、この横Ｌ字ピンの場合には、生地にピンを差した跡であるピン孔が、着用者の歩行中に、何らかの原因で、装飾部の裏面と直交するピンの短尺な基端部から、この装飾部の裏面と平行なピンの平行部に移行した際、衣服等や装飾部が揺れることで、装飾部から生地に作用する力がピン孔形成部の一箇所に集中し、その結果、ピン孔が拡大して生地に大きな孔が現出するおそれがある。しかしながら、本装飾具の場合には、ピン全体が４０°〜５０°だけ傾斜しているだけであるため、このようなピンの平行部によるピン孔の拡大現象は発生しない。
【００２１】
特に、請求項２に記載の本発明によれば、装飾部の裏面に対してピンが傾斜したピン傾斜角θを、装飾部の裏面を基準として４５°としたため、装着したバッジの回転防止効果と、ピンへの留め具の差し込み容易性と、生地に現出したピン孔の拡大防止効果とが、それぞれ最大となるバランスを得ることができる。
【００２２】
また、請求項３に記載の本発明によれば、先端面が端面傾斜角αで傾斜していない留め具本体（例えば、既成の留め具など）に対して、その先端部にヘッドアダプタを連結する。これにより、留め具の先端面（ヘッドアダプタの先端面）は、アダプタ側差し込み孔の長さ方向と直交する面を基準として、端面傾斜角αだけ傾斜した面となる。
その結果、例えば既成の留め具であっても、このヘッドアダプタの取り付けを行うだけで、簡単に本発明の効果を得ることができる。
【図面の簡単な説明】
【００２３】
【図１】この発明の実施例１に係る装飾具を帽子に装着した状態を上方から視たときの横拡大断面図である。
【図２】この発明の実施例１に係る装飾具の分解斜視図である。
【図３】この発明の実施例２に係る装飾具の分解斜視図である。
【図４】（ａ）この発明の実施例２に係る装飾具を帽子に装着した状態を上方から視たときの横拡大断面図である。（ｂ）この発明の実施例２に係るヘッドアダプタがない装飾具を帽子に装着した状態を上方から視たときの横拡大断面図である。
【発明を実施するための形態】
【００２４】
以下、この発明の実施例を具体的に説明する。
【実施例】
【００２５】
図１および図２において、１０はこの発明の実施例１に係るピンバッジ（装飾具）で、このピンバッジ１０は、帽子（衣服または服飾小物類）１１を装飾するバッジ（装飾部）１３と、バッジ１３の裏面に立設されたピン１４と、ピン１４の差し込み孔１５が内部に形成され、かつピン１４を帽子１１の生地１６に差した状態で、生地１６の裏側から突出するピン１４の先端部に着脱可能に差し込まれる留め具１７とを備えたものである。
【００２６】
以下、これらの構成部品を具体的に説明する。
バッジ１３は旗をモチーフとした金属製の板片である。バッジ１３の裏面１３ａの中央部には、この裏面１３ａを基準として、ピン傾斜角θで傾斜したピン１４が立設されている。ここでのθは４５°である。
ピン１４は先端が尖ったもので、その長さは、ピン１４の差し込み孔１５の長さと略同じである。差し込み孔１５の長さとは、後述のヘッド側差し込み孔１８の長さと管孔２０ｃの長さとを加算した長さである。
【００２７】
留め具１７は金属製の構造物で、円筒容器状の本体部１９と、本体部１９の内部空間に収納され、かつ管孔２０ｃがピン１４の差し込み孔１５の一部となって、先端部が大径化した係合管２０と、本体部１９の先端部にこの本体部１９と同一素材で一体形成され、かつ長さ方向を揃えて管孔２０ｃと連通するヘッド側差し込み孔１８を有したヘッド部２１と、係合管２０に外挿されて、常に係合管２０を先方へ付勢するコイルばね２２と、係合管２０の先端側に形成した大径部２０ａの内部に、係合管２０の半径方向へ移動自在で、かつ互いに転動自在に配された３個のピン係止用球２３と、係合管２０の基端部に中央部が固着されて、本体部１９より大径な鍔付きの摘み部２４とを有している。
【００２８】
本体部１９の内部空間は、先端に向かって徐々に小径化する略円錐台状のものである。本体部１９の下端の開口は、係合管２０が管軸方向へ移動自在に挿通される管挿通孔２５ａが中央部に穿孔された薄肉な蓋板２５により塞がれている。
係合管２０は、本体部１９と略同一長さを有した丸パイプである。
係合管２０の大径部２０ａの直径は、本体部１９の内部空間の奥側形成面と略同一直径である。
【００２９】
この大径部２０ａには、管軸を中心として、放射状に３本の貫通孔２０ｂが１２０°ピッチで形成されている。各貫通孔２０ｂには、鋼製で小径なピン係止用球２３が1個ずつ収納されている。通常時、各ピン係止用球２３は、コイルばね２２のばね力によって係合管２０が先方へ付勢されることにより、本体部１９の内部空間のうち、細くなった先部形成面に押圧されている。
ヘッド部２１は、本体部１９より大径で、かつ差し込み孔１５の長さ方向（ピン１４の軸線方向）に直交する面ａに対して、４５°の傾斜角度でカットした円柱ブロックである。これにより、ヘッド部２１は、平面視して略二等辺三角形状となる（図１を参照）。
【００３０】
ヘッド部２１の内部には、楕円形の先端面２１ａの中央部と、円形の基端面２１ｂの中央部とを連通するヘッド側差し込み孔１８が形成されている。
このヘッド部２１の先端面２１ａは、ヘッド側差し込み孔１８の長さ方向と直交する面ａを基準として、端面傾斜角αだけ傾斜している。この端面傾斜角αは、次式により求められる。
端面傾斜角α＝９０°−ピン傾斜角θ
この式に、ピン傾斜角θ＝４５°を代入することにより、端面傾斜角α＝４５°が得られる。
【００３１】
図１および図２に示すように、このような実施例１のピンバッジ１０を、例えば、帽子１１に着用する際には、まず、ピンバッジ１０のピン１４を帽子１１の生地１６の所定位置に差し（刺し）、生地１６の裏側から突出したピン１４の先端部に、留め具１７を着脱可能に差し込む。
具体的には、コイルばね２２のばね力に抗して、係合管２０と一体的に摘み部２４を後方へ引っ張る。これにより、各ピン係止用球２３は、本体部１９の内部空間のうち、小径な先端部の形成面により管軸方向へ押し込まれて、差し込み孔１５を閉じる通常位置から、この内部空間の長さ方向の中間部にあって、ピン１４の差し込みに伴い、差し込み孔１５を開けられる開孔位置へと移動する。
この内部空間の中間部は、その先端部より大径な部分である。そのため、各ピン係止用球２３は、その中間部の形成面により管軸方向へ押し込まれず、対応する貫通孔２０ｂ内を移動可能となる。これにより、差し込み孔１５へのピン１４の差し込みに伴い、各ピン係止用球２３は、このピン１４によって各貫通孔２０ｂ内を外方向へ押されて、差し込み孔１５が開孔する。
【００３２】
その後、この状態を維持しながら、ピン１４の先端部を、差し込み孔１５の基端へとさらに差し込んで行く。このとき、摘み部２４を後方へ引っ張り、この差し込み孔１５をフリー状態としているため、ピン１４の先端部は抵抗なく差し込み孔１５に差し込まれる。
ピン１４の差し込み終了後、摘み部２４から指を外すことで、コイルばね２２のばね力により、摘み部２４が係合管２０と一体的に留め具１７の先方へ移動する。これにより、各ピン係止用球２３は、本体部１９の内部空間のうち、小径化した先端部の形成面に当接して管軸方向へと徐々に押し込まれ、最終的には、ピン１４の長さ方向の中間部が、管軸を中心とした３つの放射方向から、各ピン係止用球２３によって挟持される。
【００３３】
このとき、ピン１４をバッジ１３の裏面１３ａに対して４５°のピン傾斜角θで立設し、かつ留め具１７の先端面（ヘッド部２１の先端面２１ａ）１７ａを、差し込み孔１５の長さ方向と直交する面ａを基準として、端面傾斜角α（４５°）だけ傾斜するように構成したため、例えば、着用者が歩行したとき、揺れる生地１６によってバッジ１３が押し出される方向（前方向）と、留め具１７からのピン１４の引き抜き方向との間に、４５°の角度差が生じる。しかも、このようにピン１４が傾斜しているにも拘わらず、バッジ１３の裏面１３ａと、この裏面と平行な留め具１７の先端面１７ａとの間で、帽子１１の生地１６の挟持面積が大きくなる。これにより、ピンバッジ１０の留め具１７の緩みが発生しにくくなり、装着時（着用時）のバッジ１３の回転を防止することができる。
【００３４】
また、このようにバッジ１３の裏面１３ａに、４５°のピン傾斜角θでピン１４を立設したため、例えば、この裏面１３ａに対して直交する短尺な基端部と、この基端部に連結されて、バッジ１３の裏面１３ａに対して平行で長尺な平行部とからなる横Ｌ字状に屈曲（横へ直角に屈曲）した横Ｌ字ピンに比べて、生地１６の裏面とピン１４の先端との隙間が大きくなり、ピン１４の先端部に留め具１７を差し込み易くなる。
しかも、この横Ｌ字ピンの場合には、生地１６にピン１４を差した跡であるピン孔が、着用者の歩行中に、何らかの原因で、バッジ１３の裏面１３ａと直交する短尺な基端部から、このバッジ１３の裏面１３ａと平行な平行部に移行したとき、帽子１１やバッジ１３が揺れることで、バッジ１３から生地１６に作用する力が、このピン孔形成部の一箇所に集中し、その結果、ピン孔が拡大して生地１６に大きな孔が現出することが懸念される。
【００３５】
しかしながら、このピンバッジ１０の場合には、ピン全体が４５°だけ傾斜しているだけであるため、このような平行部によるピン孔の拡大現象は生じない。
特に、ここではピン傾斜角θを、バッジ１３の裏面１３ａを基準として４５°としたため、バッジ着用時のバッジ１３の回転防止効果と、ピン１４への留め具１７の差し込み容易性と、生地１６に現出したピン孔の拡大防止効果とが、それぞれ最大となるバランスを得ることができる。
【００３６】
次に、図３および図４を参照して、本発明の実施例２に係るピンバッジを説明する。
図３および図４（ａ）に示すように、実施例２のピンバッジ１０Ａの特徴は、実施例１の留め具１７に代えて、差し込み孔１５Ａの一部を有し、かつ先端面２６ａが差し込み孔１５Ａの長さ方向と直交した既成止め具（留め具本体）２６と、この既成止め具２６の先端部に着脱可能に取り付けられ、かつ長さ方向を揃えた状態で係合管２０の管孔２０ｃと連通するアダプタ側差し込み孔２７が内部形成されたヘッドアダプタ２８とを具備した留め具１７Ａを採用した点である。
【００３７】
以下、これらの構成体を具体的に説明する。
既成留め具２６は、実施例１の本体部１９と同一構造の本体部１９Ａの先端部に、本体部１９Ａより大径な先端鍔部２９を一体形成したものである。先端鍔部２９の表面（先端面）の中央部には、菅孔２０ｃの先端開口を補強する円環隆起部２９ａが突設されている。
ヘッドアダプタ２８は、実施例１のヘッド部２１と同一素材で、かつ略同じ形状の独立構造体である。すなわち、このヘッドアダプタ２８は、本体部１９Ａより大径で、かつ平面視して略二等辺三角形状の円柱ブロックである。差し込み孔１５Ａの長さは、菅孔２０ｃの長さとアダプタ側差し込み孔２７の長さとを加算したものとなる。
ヘッドアダプタ２８の内部には、楕円形の先端面２８ａの中央部と、円形の基端面２８ｂの中央部とを連通するアダプタ側差し込み孔２７が形成されている。既成留め具２６の先端部へのヘッドアダプタ２８の取り付け（連結）時、アダプタ側差し込み孔２７は、互いの長さ方向を揃えて本体部１９Ａの管孔２０ｃと連通される。
【００３８】
ヘッドアダプタ２８の先端面２８ａは、アダプタ側差し込み孔２７の長さ方向と直交する面ｂを基準とし、端面傾斜角α（４５°）だけ傾斜している（図４（ａ）を参照）。
また、ヘッドアダプタ２８の基端面２８ｂの中央部には、ヘッドアダプタ２８の本体部１９Ａへの取り付け時に、先端鍔部２９の円環隆起部２９ａを収納するための凹部２８ｃが形成されている。
ヘッドアダプタ２８の基端部には、周方向へ９０°ピッチで、ヘッドアダプタ２８と同一素材の４個の掛止爪３０が突設されている。
【００３９】
図３および図４（ａ）に示すように、このような構造を有したピンバッジ１０Ａを帽子１１に着用する際には、まず、凹部２８ｃに先端鍔部２９の円環隆起部２９ａを収納した状態で、既成留め具２６の先端鍔部２９の表面と、ヘッドアダプタ２８の基端面２８ｂとを重ね合わせ、その後、４個の掛止爪３０を介して、先端鍔部２９にヘッドアダプタ２８をしっかりと掛止（連結）する。このとき、ヘッドアダプタ２８のアダプタ側差し込み孔２７と、既成留め具２６の管孔２０ｃとが直線状態に配される。
【００４０】
このように、先端面２６ａが端面傾斜角αで傾斜していない既成留め具２６に対して、その先端部にヘッドアダプタ２８を連結することで、得られた留め具１７Ａの先端面（ヘッドアダプタ２８の先端面２８ａ）１７ａは、アダプタ側差し込み孔２７の長さ方向と直交する面ｂを基準として、端面傾斜角αだけ傾斜した面となる。
その結果、既成留め具２６であっても、ヘッドアダプタ２８を連結するだけで、簡単に本発明の効果を得ることができる。
【００４１】
ここで、図４（ｂ）を参照して、ヘッドアダプタ２８を省略し、既成留め具２６のみを使用した場合について説明する。
既成留め具２６のみでは、ピン１４が４５°のピン傾斜角θだけ傾いているため、バッジ１３との間で帽子１１の生地１６を挟持する箇所が、先端鍔部２９の外周部の一部分のみとなる。これにより、生地１６の挟持面積は小さくなり、留め具１７が緩み易くなる。その結果、ピンバッジ装着時、バッジ１３の回転を阻止しにくい。
その他の構成、作用および効果は、実施例１から推測可能な範囲であるため、説明を省略する。
【産業上の利用可能性】
【００４２】
本発明は、衣服や服飾小物類にピンバッジなどの装飾部を取り付ける装飾具として有用な技術である。
【符号の説明】
【００４３】
１０，１０Ａ  ピンバッジ（装飾具）
１１  帽子（衣服または服飾小物類）
１３  バッジ（装飾部）
１３ａ  裏面
１４  ピン
１５，１５Ａ  差し込み孔
１７，１７Ａ  留め具
１７ａ  先端面
２０ｃ  菅孔（差し込み孔の一部）
２６  既成留め具（留め具本体）
２６ａ  先端面
２７  アダプタ側差し込み孔（差し込み孔の残り部）
２８  ヘッドアダプタ
ａ  差し込み孔の長さ方向と直交する面
ｂ  アダプタ側差し込み孔の長さ方向と直交する面
θ  ピン傾斜角
α  端面傾斜角
【図１】
2019037507.tif 000003
【図２】
2019037507.tif 000004
【図３】
2019037507.tif 000005
【図４】
2019037507.tif 000006
【手続補正書】
【提出日】平成29年11月14日(2017.11.14)
【手続補正２】
【補正対象書類名】特許請求の範囲
【補正対象項目名】全文
【補正方法】変更
【補正の内容】
【特許請求の範囲】
【請求項１】
衣服または服飾小物類を装飾するバッジと、
該バッジの裏面に立設され、かつ前記衣服または服飾小物類に差される先端が尖ったピンと、
該ピンの差し込み孔が内部に形成され、かつ前記バッジの裏面と留め具の先端面との間で、前記衣服または服飾小物類を挟持するように、前記差し込み孔に前記ピンが着脱可能に差し込まれる前記留め具とを備えたピンバッジにおいて、
前記ピンバッジは、タイタック方式または蝶タック方式のもので、
前記ピンは、前記バッジの裏面を基準として、ピン全体が直線的に４０°〜５０°のピン傾斜角θだけ傾斜し、
前記差し込み孔は、前記ピンの先端から基端部までが差し込まれるもので、
前記留め具の先端面は、前記差し込み孔の長さ方向と直交する面を基準として、次式から求められた端面傾斜角αだけ傾斜していることを特徴とするピンバッジ。
端面傾斜角α＝９０°−ピン傾斜角θ
【請求項２】
前記ピン傾斜角θおよび前記端面傾斜角αは、それぞれ４５°であることを特徴とする請求項１に記載のピンバッジ。
【請求項３】
前記留め具は、
前記差し込み孔の一部を有し、かつ先端面が該差し込み孔の長さ方向と直交している留め具本体と、
該留め具本体の先端部に取り付けられて、長さ方向を揃えて前記差し込み孔の一部と連通し、かつ該差し込み孔の残り部としてのアダプタ側差し込み孔が内部形成されたヘッドアダプタとを具備し、
該ヘッドアダプタは、その基端面が前記留め具本体の先端面と平行で、かつその先端面が、前記アダプタ側差し込み孔の長さ方向と直交する面を基準として、前記端面傾斜角αだけ傾斜していることを特徴とする請求項１または請求項２に記載のピンバッジ。